(57)【要約】【課題】複数の圧縮伸張部とそれぞれに専用の画像メモリを有する構成において、サムネイル画像作成用の圧縮伸張部および画像メモリを適切に選択することで、優先度の高いジョブの進行をサムネイル画像表示処理が阻害しないようにする。【解決手段】サムネイル画像の元になる圧縮画像データが第２の画像メモリ３１にあるときは、その画像データを第２の圧縮伸張部３３で伸張してサムネイル画像を作成する。一方、元になる圧縮画像データが第２の画像メモリ３１以外の場所（第１の画像メモリ２１やハードディスク装置４７）にあるときは、その画像データの複製を第２の画像メモリ３１に作成し、複製先の画像データを第２の圧縮伸張部３３で伸張してサムイネル画像を作成する。すなわち、サムネイル画像の生成は、元の画像データがどこにあっても、第２の圧縮伸張部３３と第２の画像メモリ３１とを使用して行なわれる。【選択図】図１
2006115000.tif 000002
【特許請求の範囲】
【請求項１】
画像データを格納するための第１の画像メモリと、
前記第１の画像メモリに専用に設けられた、画像データを圧縮伸張するための第１の圧縮伸張部と、
画像データを格納するための第２の画像メモリと、
前記第２の画像メモリに専用に設けられた、画像データを圧縮伸張するための第２の圧縮伸張部と、
サムネイル画像を作成するサムネイル画像作成部と
を備え、
前記サムネイル画像作成部は、作成すべきサムネイル画像の元になる圧縮された画像データが前記第２の画像メモリにある場合は、その画像データを第２の圧縮伸張部で伸張してサムネイル画像を作成し、前記元になる圧縮された画像データが前記第２の画像メモリ以外の場所にある場合は、その画像データを前記第２の画像メモリに複製し、この複製の画像データを第２の圧縮伸張部で伸張してサムイネル画像を作成する
ことを特徴とする画像処理装置。
【請求項２】
画像データを格納するための第１の画像メモリと、
前記第１の画像メモリに専用に設けられた、画像データを圧縮伸張するための第１の圧縮伸張部と、
画像データを格納するための第２の画像メモリと、
前記第２の画像メモリに専用に設けられた、画像データを圧縮伸張するための第２の圧縮伸張部と、
ジョブの実行を制御する制御部と、
サムネイル画像を作成するサムネイル画像作成部と
を備え、
前記制御部は、予め定めたジョブの実行には常に前記第１の圧縮伸張部と前記第１の画像メモリとを使用し、
前記サムネイル画像作成部は、作成すべきサムネイル画像の元になる圧縮された画像データが前記第２の画像メモリにある場合は、その画像データを第２の圧縮伸張部で伸張してサムネイル画像を作成し、前記元になる圧縮された画像データが前記第２の画像メモリ以外の場所にある場合は、その画像データを前記第２の画像メモリに複製し、この複製の画像データを第２の圧縮伸張部で伸張してサムイネル画像を作成する
ことを特徴とする画像処理装置。
【請求項３】
前記予め定めたジョブが、印刷ジョブである
ことを特徴とする請求項２に記載の画像処理装置。
【請求項４】
前記サムネイル画像作成部は、前記複製の画像データを第２の圧縮伸張部で伸張してサムネイル画像を作成したときは、サムネイル画像の作成後に前記複製の画像データを前記第２の画像メモリから削除する
ことを特徴とする請求項１、２または３に記載の画像処理装置。
【発明の詳細な説明】
【技術分野】
【０００１】
本発明は、たとえば、原稿を読み取るスキャナ機能や原稿を複写するコピー機能、プリントデータに基づいて印刷するプリンタ機能などを備えた複合機等の画像処理装置に係わり、特に、サムネイル画像を生成可能な画像処理装置に関する。
【背景技術】
【０００２】
複合機などの画像形成装置は、コピージョブやプリントジョブなど各種のジョブに係わる画像データを、出力待ちの間や処理が完了するまでの間、あるいは画像の保存を目的とするジョブの場合は消去操作がなされるまでの間、記憶するようになっている。
【０００３】
複合機が内部に記憶している上記のような画像データをユーザが確認する方法の１つとして、元の画像を簡略化・小型化したサムネイル画像を表示する方法が、表示部の大型化に伴って注目されている。
【０００４】
たとえば、サムネイル画像をユーザ要求に対して迅速に表示可能とするために、元の画像をハードディスク装置に保存する際に同時にサムネイル画像を生成して保存するようにした画像形成装置が提案されている（たとえば、特許文献１参照。）。
【０００５】
ところで、複合機では、ユーザの待ち時間を減らして利便性を高める等のために、入出力装置が競合しない範囲で複数のジョブを同時に実行することが行なわれる。一方、記憶容量削減の要請から、画像データは、通常、圧縮して保存される。そこで、本出願人は、圧縮処理部や圧縮伸張部用の画像メモリの不足が、複数のジョブを同時実行した際の処理速度低下要因になることを防止するために、圧縮処理部とそれ専用の画像メモリとを複数組備えるようにした画像形成装置を特願２００３−３９９７６５号において提案した。
【０００６】
【特許文献１】特開２００３−２３５４３号公報
【発明の開示】
【発明が解決しようとする課題】
【０００７】
上述の特許文献１に開示された技術では、元の画像とそのサムネイル画像の双方を保存するので、メモリの消費量が多いという問題がある。
【０００８】
一方、ユーザから表示要求を受けた時点で元の画像データからサムネイル画像を生成する場合には、元の画像データが圧縮保存されているので、まずそれを伸張しなければならない。この伸張のために専用に伸張処理部や画像メモリを設けると、装置価格の高騰を招くので、通常のジョブを処理するための圧縮伸張部や画像メモリをサムネイル画像の生成用に利用することが望ましい。
【０００９】
しかしながら、この場合には、サムネイル画像の生成処理が、プリントジョブなど優先度の高いジョブの進行を阻害しないようにする必要がある。特に、圧縮伸張部と画像メモリとが複数組存在する装置構成の場合には、前記要求を満たすにはどの圧縮伸張部をサムネイル画像の生成用に使用すべきかの判断が複雑になってしまう。
【００１０】
また、サムネイル画像を作成すると、その分、メモリ残量が減るので、残メモリ容量の表示を適切に行なうためには、サムネイル画像を作成する毎に、残メモリ容量を再計算しなければならないという問題もあった。
【００１１】
本発明は、上記の問題を解決しようとするものであって、元の圧縮画像データの保存場所が様々でもその画像データを伸張・縮小するためのデバイスや処理を１つに集約することのできる画像処理装置を提供することを目的としている。
【００１２】
また、優先度の高いジョブの進行を阻害することなくサムネイル画像を生成することが可能な画像処理装置を提供することを目的としている。
【００１３】
さらに、複数の圧縮伸張部とそれぞれに専用の画像メモリを有する構成において、サムネイル画像生成用に使用する圧縮伸張部等の選択に伴う処理負担を軽減することを目的としている。
【００１４】
また、サムネイル画像の生成処理を実行しても残メモリ容量の再計算を必要としない画像処理装置を提供することを目的としている。
【課題を解決するための手段】
【００１５】
請求項１に係わる発明は、画像データを格納するための第１の画像メモリと、
前記第１の画像メモリに専用に設けられた、画像データを圧縮伸張するための第１の圧縮伸張部と、
画像データを格納するための第２の画像メモリと、
前記第２の画像メモリに専用に設けられた、画像データを圧縮伸張するための第２の圧縮伸張部と、
サムネイル画像を作成するサムネイル画像作成部と
を備え、
前記サムネイル画像作成部は、作成すべきサムネイル画像の元になる圧縮された画像データが前記第２の画像メモリにある場合は、その画像データを第２の圧縮伸張部で伸張してサムネイル画像を作成し、前記元になる圧縮された画像データが前記第２の画像メモリ以外の場所にある場合は、その画像データを前記第２の画像メモリに複製し、この複製の画像データを第２の圧縮伸張部で伸張してサムイネル画像を作成する
ことを特徴とする画像処理装置である。
【００１６】
上記発明によれば、サムネイル画像の元になる圧縮画像データが第２の画像メモリにあるときは、その画像データを第２の圧縮伸張部で伸張してサムネイル画像が作成される。一方、元になる圧縮画像データが第２の画像メモリ以外の場所にあるときは、その画像データの複製を第２の画像メモリに作成し、この複製の画像データを第２の圧縮伸張部で伸張してサムイネル画像が作成される。すなわち、サムネイル画像の生成は、元の画像データがどこにあっても、第２の圧縮伸張部と第２の画像メモリとを使用して行なわれる。
【００１７】
第２の画像メモリ以外の場所には、たとえば、ハードディスク装置、システムメモリ、圧縮伸張部専用の画像メモリ以外の画像メモリなどがある。圧縮伸張部とそれ専用の画像メモリとは、３組以上存在してもかまわない。
【００１８】
請求項２に係わる発明は、画像データを格納するための第１の画像メモリと、
前記第１の画像メモリに専用に設けられた、画像データを圧縮伸張するための第１の圧縮伸張部と、
画像データを格納するための第２の画像メモリと、
前記第２の画像メモリに専用に設けられた、画像データを圧縮伸張するための第２の圧縮伸張部と、
ジョブの実行を制御する制御部と、
サムネイル画像を作成するサムネイル画像作成部と
を備え、
前記制御部は、予め定めたジョブの実行には常に前記第１の圧縮伸張部と前記第１の画像メモリとを使用し、
前記サムネイル画像作成部は、作成すべきサムネイル画像の元になる圧縮された画像データが前記第２の画像メモリにある場合は、その画像データを第２の圧縮伸張部で伸張してサムネイル画像を作成し、前記元になる圧縮された画像データが前記第２の画像メモリ以外の場所にある場合は、その画像データを前記第２の画像メモリに複製し、この複製の画像データを第２の圧縮伸張部で伸張してサムイネル画像を作成する
ことを特徴とする画像処理装置である。
【００１９】
上記発明によれば、予め定めたジョブの実行には、常に第１の圧縮伸張部と第１の画像メモリとが使用される。したがって、第２の画像メモリおよび第２の圧縮伸張部をサムネイル画像の作成に使用しても、前記ジョブの実行を妨げない。予め定めたジョブとして、優先度の高いジョブを設定するとよい。
【００２０】
請求項３に係わる発明は、前記予め定めたジョブが、印刷ジョブである
ことを特徴とする請求項２に記載の画像処理装置である。
【００２１】
上記発明によれば、予め定めたジョブとして、印刷ジョブが設定される。印刷ジョブは、印刷開始後、一定の処理速度を確保する必要がある。このような印刷ジョブを常に第１の圧縮伸張部と第１の画像メモリとを使用して実行するように設定することで、第２の圧縮伸張部と第２の画像メモリとを使用するサムネイル画像の生成処理が印刷ジョブの実行を阻害しなくなる。
【００２２】
請求項４に係わる発明は、前記サムネイル画像作成部は、前記複製の画像データを第２の圧縮伸張部で伸張してサムネイル画像を作成したときは、サムネイル画像の作成後に前記複製の画像データを前記第２の画像メモリから削除する
ことを特徴とする請求項１、２または３に記載の画像処理装置である。
【００２３】
上記発明によれば、第２の画像メモリに複製した画像データは、サムネイル画像の作成後に消去される。サムネイル画像自体は、表示部に転送されるので、複製した画像データをサムネイル画像の作成後に消去すれば、画像データを記憶するための残メモリ容量は、サムネイル画像の作成前後で変化しなくなる。
【発明の効果】
【００２４】
本発明に係わる画像処理装置によれば、サムネイル画像の元になる圧縮画像データが第２の画像メモリにあるときはその画像データを使用し、第２の画像メモリ以外の場所にあるときはその画像データを第２の画像メモリに複製したものを使用してサムネイル画像を生成するので、サムネイル画像の元になる圧縮画像データの保存場所が様々でもその画像データを伸張・縮小するためのデバイスや処理を１つに集約することができる。また、サムネイル画像の生成には常に第２の圧縮伸張部と第２の画像メモリとを使用するので、どの圧縮伸張部をサムネイル画像の生成用に使用すべきかを判断する必要がなくなり、処理が簡略化される。
【００２５】
予め定めたジョブの実行を常に第１の圧縮伸張部と第１の画像メモリとを使用して行なうようにしたものでは、優先度の高いジョブ、たとえば、印刷ジョブを予め定めたジョブとすることで、優先度の高いジョブの進行を阻害することなくサムネイル画像を生成することが可能になる。
【００２６】
複製した画像データを、サムネイル画像の作成後に第２の画像メモリから消去するものでは、サムネイル画像の作成前後で画像データを記憶するための残メモリ容量が変化しなくなり、サムネイル画像の生成時における残メモリ容量の再計算が不要になる。
【発明を実施するための最良の形態】
【００２７】
以下、図面に基づき本発明の実施の形態を説明する。
【００２８】
図１は、本発明の実施の形態に係わる画像処理装置１０の概略構成を示すブロック図である。画像処理装置１０は、原稿画像を読み取るスキャナ機能や読み取った画像の複製を記録紙上に作成するコピー機能、外部装置から受信したプリントデータに対応する画像を記録紙上に作成して出力するプリンタ機能、ネットワークを介して外部装置との間で画像データを送受信する画像伝送機能などの複数の機能を備えた、いわゆるデジタル複合機として構成されている。また、記憶している画像データに対応するサムネイル画像を表示する機能を備えている。
【００２９】
画像処理装置１０は、スキャナ部１１と、プリンタ部１２と、ＰＣＩ（Peripheral  Components Interconnect）バス１３に接続された各種の装置とから構成される。スキャナ部１１は、原稿画像を読み取る入力手段であり、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーからなる光学経路とを備えている。ラインイメージセンサはＣＣＤ（Charge Coupled Device）で構成される。ラインイメージセンサが出力するアナログ画像信号はＡ／Ｄ変換され、デジタルの画像データとして取り込まれる。
【００３０】
プリンタ部１２は、画像データに対応する画像を電子写真プロセスによって記録紙上に形成して出力する機能を果たす。プリンタ部１２は、記録紙の搬送装置と、感光体ドラムと、帯電装置と、レーザーユニットと、現像装置と、転写分離装置と、クリーニング装置と、定着装置とを有する、いわゆるレーザープリンタとして構成されている。
【００３１】
ＰＣＩバス１３には、第１画像処理部２０と、第２画像処理部３０とが接続されている。第１画像処理部２０は、第１の画像メモリ２１と、第１のメモリ制御部２２と、第１の圧縮伸張部２３とから構成される。第１の画像メモリ２１は、半導体メモリで構成されたＲＡＭ（ランダム・アクセス・メモリ）であり、標準画像で画像データを１００面ほど記憶可能なメモリ容量を持っている。第１のメモリ制御部２２は、第１の画像メモリ２１への画像データの読み書きを制御する回路である。第１の圧縮伸張部２３は、第１のメモリ制御部２２を介して受け渡しされる画像データを圧縮したり伸張したりする機能を果たす。第１の画像メモリ２１および第１の圧縮伸張部２３はそれぞれ第１のメモリ制御部２２に接続され、この第１のメモリ制御部２２がＰＣＩバス１３に接続されている。
【００３２】
第２画像処理部３０は、第１画像処理部２０と同様の構成を備え、第２の画像メモリ３１と、第２のメモリ制御部３２と、第２の圧縮伸張部３３とを有している。スキャナ部１１は、第１画像処理部２０の第１のメモリ制御部２２と第２画像処理部３０の第２のメモリ制御部３２とに接続されており、画像データを第１画像処理部２０と第２画像処理部３０のいずれにも出力可能になっている。プリンタ部１２は、第１画像処理部２０の第１のメモリ制御部２２に接続されており、第１画像処理部２０を通じてのみ画像データを出力し得るようになっている。
【００３３】
転送手段としてのＤＭＡコントローラ４０は、第１画像処理部２０の第１の画像メモリ２１から第２画像処理部３０の第２の画像メモリ３１へ画像データを、バスマスタとなって転送する機能を果たす。
【００３４】
さらに画像処理装置１０は、当該装置の動作を統括制御する制御部１４を備えている。制御部１４は、ＣＰＵ（中央処理装置）と、ＲＯＭ（リード・オンリ・メモリ）と、ＲＡＭとを主要部とした回路で構成されている。制御部１４は、画像データを流すＰＣＩバス１３とは別のＣＰＵバス１５に接続されており、ＣＰＵバス１５とＰＣＩバス１３とはＰＣＩブリッジ１６を介して接続されている。制御部１４は、ジョブの実行やジョブ実行時の画像データの流れを制御する。また制御部１４は、サムネイル画像を作成するための各種の制御や縮小処理などを行なうサムネイル画像作成部としての機能を果たす。
【００３５】
このほか、ＰＣＩバス１３には、ＵＳＢ（ユニバーサル・シリアル・バス）インターフェイス部４１と、ＰＣＩブリッジ４２、４４と、ＩＤＥ（Integrated Drive Electronics）インターフェイス部４６と、ネットワーク制御部４８とが接続されている。ＵＳＢインターフェイス部４１は、各種のＵＳＢ機器を接続するための入出力回路である。ＰＣＩブリッジ４２、４４は、ＰＣＩバスと他の形式のバスとを接続するためのインターフェイス回路である。ＰＣＩブリッジ４２には、プリントデータを解析してラスタイメージデータに展開するプリントコントローラ部４３が接続されている。プリントコントローラ部４３は、テキストデータのほか、各種のページディスクリプト言語に対応している。
【００３６】
ＰＣＩブリッジ４４には、操作パネル４５が接続されている。操作パネル４５は、表面にタッチパネルを備えた液晶ディスプレイと各種の操作スイッチとから構成され、ユーザに各種の案内表示や状態表示を行なったり、ユーザから各種の操作を受け付けたりする機能を有する。操作パネル４５には、原稿画像を簡略化・小型化したサムネイル画像も表示される。
【００３７】
ＩＤＥインターフェイス部４６には、ハードディスク装置４７が接続されている。ＩＤＥインターフェイス部４６は、ＰＣＩバス１３等にハードディスク装置４７を接続するためのインターフェイス回路である。ハードディスク装置４７には、圧縮した画像データが格納される。ネットワーク制御部４８は、ＬＡＮ（ローカル・エリア・ネットワーク）等のネットワーク４９を介して外部の各種装置と通信する機能を果たす。
【００３８】
画像処理装置１０は、入出力装置その他のデバイスが競合しない範囲で、複数のジョブを同時に実行し得るようになっている。特に第１画像処理部２０と第２画像処理部３０とを有することで、圧縮およびまたは伸張を伴う２つのジョブを同時に実行することができる。なお、プリンタ部１２を使用するジョブは、プリンタ部１２の接続された第１画像処理部２０を優先的に使用するようになっている。
【００３９】
図２は、コピージョブと、プリントデータの受信ジョブとが同時に実行される際の画像データの流れを示している。まず、コピージョブについて説明する。スキャナ部１１で原稿を読み取って得た画像データは、第１画像処理部２０の第１のメモリ制御部２２を経由して第１の圧縮伸張部２３によって圧縮された後、第１の画像メモリ２１に格納される（パスＣ１）。その後、第１画像処理部２０の第１のメモリ制御部２２を経由して第１の圧縮伸張部２３によって伸張され、プリンタ部１２に出力されて画像形成される（パスＣ２）。多数部コピーの場合には、第１の画像メモリ２１に格納されている圧縮された画像データが上記のパスＣ２を経て繰り返し印刷される。
【００４０】
プリントデータの受信ジョブでは、受信した印刷データをプリントコントローラ部４３でラスタライズして得た画像データがＰＣＩバス１３および第２画像処理部３０の第２のメモリ制御部３２を経由して第２の画像メモリ３１に格納される（パスＰ１）。この画像データは、第２の圧縮伸張部３３で圧縮されて第２の画像メモリ３１に戻され（パスＰ２）、さらにハードディスク装置４７へ転送される（パスＰ３）。
【００４１】
こうしてハードディスク装置４７に格納された画像データは、図３に示すように、コピージョブの出力処理が終了した後、ハードディスク装置４７から第１画像処理部２０の第１のメモリ制御部２２を経由して第１の画像メモリ２１に読み出され（パスＰ４）、さらに第１の圧縮伸張部２３で伸張されてプリンタ部１２へ出力される（パスＰ５）。
【００４２】
上記のように各種のジョブを実行することで、圧縮された画像データは、第１の画像メモリ２１、第２の画像メモリ３１、ハードディスク装置４７など様々な記憶場所に保存される。サムネイル画像を表示する場合には、ユーザの指定する画像データが、現在、どこに格納されているものかを調べ、その画像データを伸張・縮小して表示することになる。
【００４３】
図４は、サムネイル画像の表示処理の流れを示している。まず、操作パネル４５あるいはネットワーク４９を通じて外部端末からサムネイル画像の表示要求を受け付ける（ステップＳ１０１）。表示要求では、ジョブ単位で画像を指定するほか、ジョブの中の特定のページだけを、たとえばページ番号で指定することが可能になっている。
【００４４】
次に、表示要求で指定された表示対象ページの画像データの格納先を判別し、その格納先が第２の画像メモリ３１以外の場合は（ステップＳ１０２；Ｎ）、その格納先から第２の画像メモリ３１へ該当の画像データを複製し（ステップＳ１０３）、画像データを複製したか否かを示すための複製フラグをオンにする（ステップＳ１０４）。たとえば、格納先が第１の画像メモリ２１の場合は、第１の画像メモリ２１から第２の画像メモリ３１に画像データをコピーし、格納先がハードディスク装置４７の場合は、該当の画像データをハードディスク装置４７から読み出して第２の画像メモリ３１に格納する。表示対象ページの画像データがはじめから第２の画像メモリ３１に格納されている場合は、上記の複製処理は行なわない。
【００４５】
その後、第２の画像メモリ３１にある表示対象ページの画像データを第２の圧縮伸張部３３で伸張する（ステップＳ１０５）。さらに縮小などの加工を施してサムネイル画像を作成し（ステップＳ１０６）、このサムネイル画像を表示する（ステップＳ１０７）。表示先は表示要求の種類に応じて異なる。すなわち、表示要求を操作パネル４５から受けていた場合は、サムネイル画像を操作パネル４５に転送して表示する。ネットワーク４９を経由して外部端末から表示要求を受けていた場合は、その端末へサムネイル画像を送信する。
【００４６】
サムネイル画像を表示した後、複製フラグがオンか否かを調べ（ステップＳ１０８）、オフの場合は（ステップＳ１０８；Ｎ）そのまま本処理を終了する（エンド）。オンの場合は（ステップＳ１０８；Ｙ）、複製した画像データを第２の画像メモリ３１から削除し、複製フラグをオフにして（ステップＳ１０９）本処理を終了する（エンド）。
【００４７】
このように、サムネイル画像の元になる圧縮された画像データが第２の画像メモリ３１にあるときはその画像データを使用し、第２の画像メモリ３１以外の場所にあるときはその画像データを第２の画像メモリ３１に複製し、複製先の画像データを使用してサムネイル画像を生成するので、サムネイル画像の生成は常に第２の画像メモリ３１および第２の圧縮伸張部３３を使用して行なわれる。その結果、どの圧縮伸張部をサムネイル画像の生成に使用すべきかを判断する必要がなく、処理が簡略化される。また、元になる画像データがどこに格納されていても、サムネイル画像の生成を必ず第２画像処理部３０で行なうので、伸張処理や縮小処理を格納先のデバイスごとに用意する必要がなく、装置構成や処理プログラムが簡略化される。
【００４８】
さらに、優先度の高い印刷ジョブには必ず第１画像処理部２０を使用するので、サムネイル画像の生成を常に第２画像処理部３０で行なうようにすることで、サムネイル画像の生成が優先度の高いジョブの進行を阻害しなくなる。たとえば、第１画像処理部２０が空き状態であっても第２画像処理部３０を使用してサムネイル画像を生成するので、第１画像処理部２０は空き状態に維持され、いつ印刷要求が発生しても、その要求に迅速に対応可能な体勢が確保される。
【００４９】
また、複製を作成した場合には、複製先の画像データをサムネイル画像作成後に消去するので、サムネイル画像の作成前後で画像データを蓄積するための残メモリ容量が変化しなくなる。その結果、残メモリ容量を表示等するために、残メモリ容量の再計算をサムネイル画像の作成毎に行なう必要がなくなり、その分の処理負担が軽減される。
【００５０】
図５は、元になる圧縮画像データが第２の画像メモリ３１にある場合におけるサムネイル画像表示処理のデータフローを示している。第２画像処理部３０の第２の画像メモリ３１にある圧縮画像データは、第２の圧縮伸張部３３で伸張された後（Ｓ１）、制御部１４による縮小処理によりサムネイル画像に加工され（Ｓ２）、操作パネル４５に転送されて表示される（Ｓ３）。
【００５１】
図６は、元になる圧縮画像データが第１の画像メモリ２１にある場合におけるサムネイル画像表示処理のデータフローを示している。第１画像処理部２０の第１の画像メモリ２１にある圧縮画像データはＤＭＡコントローラ４０により第２画像処理部３０の第２の画像メモリ３１に転送され複製される（Ｓ１１）。複製先の圧縮画像データは第２の圧縮伸張部３３で伸張された後（Ｓ１２）、制御部１４による縮小処理によりサムネイル画像に加工され（Ｓ１３）、操作パネル４５に転送されて表示される（Ｓ１４）。
【００５２】
図７は、元になる圧縮画像データがハードディスク装置４７にある場合におけるサムネイル画像表示処理のデータフローを示している。ハードディスク装置４７に格納されている圧縮画像データは第２画像処理部３０の第２の画像メモリ３１に転送され複製される（Ｓ２１）。複製先の圧縮画像データは第２の圧縮伸張部３３で伸張された後（Ｓ２２）、制御部１４による縮小処理によりサムネイル画像に加工され（Ｓ２３）、操作パネル４５に転送されて表示される（Ｓ２４）。
【００５３】
以上、本発明の実施の形態を図面によって説明してきたが、具体的な構成は実施の形態に示したものに限られるものではなく、本発明の要旨を逸脱しない範囲における変更や追加があっても本発明に含まれる。
【００５４】
たとえば、実施の形態では、画像処理部を２組設けたが、３組以上設けてもかまわない。また、実施の形態ではＤＭＡコントローラ４０を用いて画像データを転送して複製したが制御部１４のＣＰＵやその他の転送デバイスを使用して転送してもよい。制御部１４のＣＰＵで転送する場合でもＣＰＵの処理能力に余裕があれば、画像処理装置１０としてのパフォーマンス低下は生じない。
【００５５】
このほか、実施の形態では、複合機を例に説明したが、画像処理部を複数備えた画像処理装置であれば、その種類は問わない。
【図面の簡単な説明】
【００５６】
【図１】本発明の実施の形態に係わる画像処理装置の構成を示すブロック図である。
【図２】本発明の実施の形態に係わる画像処理装置がコピージョブの実行中にプリントデータの受信動作を同時に行なう場合の画像データの流れの一例を示す説明図である。
【図３】図２のプリントデータの受信動作でハードディスク装置に格納した画像データを読み出してプリントする際の画像データの流れの一例を示す説明図である。
【図４】サムネイル画像の表示処理を示す流れ図である。
【図５】元になる圧縮画像データが第２の画像メモリにある場合におけるサムネイル画像表示処理のデータフローを示す説明図である。
【図６】元になる圧縮画像データが第１の画像メモリにある場合におけるサムネイル画像表示処理のデータフローを示す説明図である。
【図７】元になる圧縮画像データがハードディスク装置にある場合におけるサムネイル画像表示処理のデータフローを示す説明図である。
【符号の説明】
【００５７】
１０…画像処理装置
１１…スキャナ部
１２…プリンタ部
１３…ＰＣＩバス
１４…制御部
２０…第１画像処理部
２１…第１の画像メモリ
２２…第１のメモリ制御部
２３…第１の圧縮伸張部
３０…第２画像処理部
３１…第２の画像メモリ
３２…第２のメモリ制御部
３３…第２の圧縮伸張部
４０…ＤＭＡコントローラ
４１…ＵＳＢインターフェイス部
４２、４４…ＰＣＩブリッジ
４３…プリントコントローラ部
４５…操作パネル
４６…ＩＤＥインターフェイス部
４７…ハードディスク装置
４８…ネットワーク制御部
４９…ネットワーク
【図１】
2006115000.tif 000003
【図２】
2006115000.tif 000004
【図３】
2006115000.tif 000005
【図４】
2006115000.tif 000006
【図５】
2006115000.tif 000007
【図６】
2006115000.tif 000008
【図７】
2006115000.tif 000009